(57)【要約】【課題】電子ペーパの情報表示を別の電子ペーパへ容易にコピーできるようにする。【解決手段】各電子ペーパ１には、無線ICタグ４などの書き換え可能不揮発性メモリが搭載され、そこに電子ペーパ１の表示情報のデータが予め格納される。コピー元電子ペーパ１がコピーステーション６にセットされリードボタン１０が押されると、コピーステーション６がコピー元電子ペーパ１の無線ICタグ４からデータを読み記憶する。次に、コピー先電子ペーパ１がコピーステーション６にセットされコピーボタン１２が押されると、コピーステーション６が記憶していたデータをコピー先電子ペーパ１の無線ICタグ４に書き込み、かつ、記憶していたデータに従った表示制御信号を生成してコピー先電子ペーパ１に印加する。コピー先電子ペーパ１には、コピー元電子ペーパ１と同じ情報が表示される。【選択図】図４
2007199269.tif 000002
【特許請求の範囲】
【請求項１】
表示制御信号を受けると情報表示を変更し、前記表示制御信号を受けていない間は前記情報表示を保持する機能を持つ、コピー元電子ペーパおよびコピー先電子ペーパと、
前記コピー元電子ペーパに取り付けられ、前記コピー元電子ペーパに表示される情報を表すデータを記憶することが可能な、書き換え可能な不揮発性のコピー元メモリデバイスと、
前記コピー元電子ペーパおよびコピー先電子ペーパが同時にまたは別時にセット可能なコピーステーションと
を備え
前記コピーステーションが、
前記コピー元電子ペーパが前記コピーステーションにセットされているとき、前記コピー元電子ペーパ上の前記コピー元メモリデバイスからデータを読み込むデータ読み込み手段と、
前記コピー元電子ペーパから読み込まれたデータを記憶するデータ記憶手段と、
前記コピー先電子ペーパが前記コピーステーションにセットされているとき、前記メモリ手段に記憶されたデータに従った表示制御信号を生成して、前記表示制御信号を前記コピー先電子ペーパに与え、それにより、前記メモリ手段に記憶されたデータが表す情報を前記コピー先電子ペーパに表示させる表示制御手段と
を有する、電子ペーパ用のコピーシステム。
【請求項２】
請求項１記載のシステムにおいて、
前記コピー先電子ペーパに取り付けられ、前記コピー先電子ペーパに表示される情報を記憶することが可能な、書き換え可能な不揮発性のコピー先メモリデバイスを、さらに備え、
前記コピーステーションが、
前記コピー先電子ペーパが前記コピーステーションにセットされているとき、前記メモリ手段に記憶されたデータを前記コピー先電子ペーパ上のコピー先メモリデバイスに書き込むデータ書き込み手段を
さらに備える、電子ペーパ用のコピーシステム。
【請求項３】
請求項１記載のシステムにおいて、
前記コピー元電子ペーパ上の前記コピー元メモリデバイスは、複数ページの情報を表すデータを記憶することができ、
前記コピーステーションが、
前記コピー元メモリデバイス内のデータの表す複数ページの情報中から、前記コピー先電子ペーパに表示させる情報として、ユーザ所望のページの情報を選択するページ選択手段を
さらに有する、電子ペーパ用のコピーシステム。
【請求項４】
請求項１記載のコピーシステムのための前記コピーステーション。
【請求項５】
請求項１記載のコピーシステムのための前記コピー元電子ペーパ。
【発明の詳細な説明】
【技術分野】
【０００１】
本発明は、電子ペーパの情報表示を他の電子ペーパにコピーするためのシステムに関する。
【背景技術】
【０００２】
近年、紙媒体に代わる可視的な情報記録及び表示媒体として柔軟で薄型な電子ペーパが普及し始めている。この電子ペーパは、表示したい情報（文字、図形、写真などの画像）に応じたパターンの表示制御信号を外部から印加することで任意の情報を表示することができる。電子ペーパの情報表示は、その電子ペーパへの表示制御信号の印加を停止した後も、消えずに保持される。さらに、電子ペーパに別パターンの表示制御信号を印加することで、今までの情報表示を消去したり、これを別の情報表示に切り替えたりすることもできる（例えば、特許文献１参照）。電子ペーパの表示原理には、ジリコンビーズ方式、マイクロカプセル（電気泳動)方式および電子粉流方式などを初めとして種々知られており、新たな表示原理が将来も開発される可能性もある。このような電子ペーパは、携帯と取り扱いが容易で、表示内容が鮮明で見やすいため、次世代の情報表示および記録手段として脚光を浴びている。
【０００３】
【特許文献１】特開２００３−０７６３５４号公報
【発明の開示】
【発明が解決しようとする課題】
【０００４】
しかしながら、電子ペーパの情報表示を他の電子ペーパにコピーしたい場合、紙媒体のコピー用の光学的コピー機では、それが行えない。そのため、会議などで、同一情報を表示した電子ペーパを複数枚用意したい場合には、あらかじめ、複数枚の電子ペーパのそれぞれに同一パターンの表示制御信号を印加して同一の情報を表示させておく必要がある。ところが、例えば外出先において電子ペーパの必要枚数が不足し、同一の表示内容の電子ペーパを追加補充したい場合、光学的コピー機を用いて電子ペーパのコピーを用意することができない。
【０００５】
本発明の目的は、電子ペーパの情報表示を他の電子ペーパへ容易にコピーできるようにすることにある。
【課題を解決するための手段】
【０００６】
本発明の従う電子ペーパ用のコピーシステムは、表示制御信号を受けると情報表示を変更し、表示制御信号を受けていない間は情報表示を保持する機能を持つ、コピー元電子ペーパおよびコピー先電子ペーパと、コピー元電子ペーパに取り付けられ、コピー元電子ペーパに表示される情報を表すデータを記憶することが可能な、書き換え可能な不揮発性のコピー元メモリデバイスと、コピー元電子ペーパおよびコピー先電子ペーパが同時にまたは別時にセット可能なコピーステーションとを備える。コピーステーションは、これにコピー元電子ペーパがセットされているとき、コピー元電子ペーパ上のコピー元メモリデバイスからデータを読み込み、読み込まれたデータを記憶する。その後、コピーステーションは、これにコピー先電子ペーパがセットされているとき、上記記憶されたデータに従った表示制御信号を生成して、この表示制御信号をコピー先電子ペーパに与えて、上記データが表す情報をコピー先電子ペーパに表示させる。
【０００７】
このコピーシステムによれば、コピー元電子ペーパの表示情報を表すデータを、コピー元メモリデバイスのメモリデバイスに予め格納しておけば、コピーステーションを用いて、コピー元電子ペーパの情報表示をコピー先電子ペーパにコピーすることができる。
【０００８】
一つの実施形態では、コピー先電子ペーパにも、書き換え可能な不揮発性のコピー先メモリデバイスが設けられる。そして、コピーステーションは、コピー先電子ペーパのメモリデバイスから読み込んだデータを、コピー先電子ペーパのメモリデバイスにコピーする。これにより、コピー先電子ペーパも、次に、別の電子ペーパへのコピー元として使用することが可能になる。
【０００９】
一つに実施形態では、コピー元電子ペーパ上のメモリデバイスは、複数ページの情報を表すデータを記憶することができる。そして、コピーステーションは、コピー元メモリデバイス内のデータの表す複数ページの情報中から、ユーザ所望のページの情報を選択して、その選択されたページの情報をコピー先電子ペーパに表示させることができる。これにより、コピー元電子ペーパに現在表示されている特定ページの情報をそのままコピー先電子ペーパに表示させるだけでなく、コピー元電子ペーパに記憶されてはいるが現在表示されてはいない別ページの情報をコピー先電子ペーパに表示させることもできる。
【００１０】
本発明は、また、上述したコピーシステムで使用されるコピーステーションおよびコピー元電子ペーパも提供する。
【発明の効果】
【００１１】
本発明の電子ペーパ用のコピーシステムによれば、電子ペーパの情報表示を他の電子ペーパへ容易にコピーすることができる。
【発明を実施するための最良の形態】
【００１２】
以下、本発明の一実施形態にかかる電子ペーパ用のコピーシステムについて説明する。
【００１３】
この実施形態にかかるコピーシステムでは、電子ペーパとして、どのような表示原理を用いたものを採用するかには制限が無く、外部装置と有線または無線で通信接続するための接続端子を有し、その接続端子に任意の表示制御信号を与えることで、任意の情報を表示したり、それを消去したりすることができるものであればよい。
【００１４】
このコピーシステムで使用される各電子ペーパには、その表示の支障にならない所定箇所（例えば、表示側面または反対面の縁又は隅近くの箇所、あるいは側面の或る箇所）に、少なくとも１つの書き換え可能な不揮発性のメモリICデバイスが取り付けられる。この実施形態にかかるシステムでは、メモリICデバイスの一例として、RFID（Radio Frequency Identification)タグなどと呼ばれ、書き換え可能な不揮発性のメモリと、このメモリに接続された無線周波数（Radio Frequency：ＲＦ）の電波を送受信する無線通信アンテナとを有し、外部のリーダライタから無線電波により給電を受けつつ外部のリーダライタと非接触の通信を行って、メモリICチップから／へデータを読み書きすることができる通信・記憶デバイス（以下、「無線ICタグ」という）が用いられる。各電子ペーパに取り付けられた無線ICタグは、その電子ペーパに表示される情報を表す電子的なデータを格納するために使用される。
【００１５】
この実施形態にかかるコピーシステムでは、また、コピー元の電子ペーパおよびコピー先の電子ペーパと通信することができる、電子ペーパとは別体の装置（以下、「コピーステーション」という）が用いられる。このコピーステーションは、コピー元の電子ペーパの無線ICタグから、そこに格納されているデータを読み取り、その読み取られたデータをコピー先の電子ペーパの無線ICタグに書き込むともに、その読み取られたデータから、そのデータが表す情報を電子ペーパに表示させるための表示制御信号を生成して、その表示制御信号をコピー先の電子ペーパに加えることができる。
【００１６】
以下、図面を参照しながら本発明の一実施形態にかかる電子ペーパ用のコピーシステムついて詳細に説明する。
【００１７】
図１は、このコピーシステムで使用される電子ペーパの平面図である。
【００１８】
図１に示すように、電子ペーパ１は長方形の平面形状を有し、その長手方向の一側の縁部分に、電子ペーパ１に任意の情報を表示させたりその表示を消去または変更したりするための表示制御信号を、外部から電子ペーパ１に印加するための接続端子２が設けられている。また、電子ペーパ１の表面の、接続端子２が設けられた側と同じ側の縁の近傍であって、情報表示の支障になら箇所（例えば、隅の近傍箇所）には、書き換え可能不揮発性メモリの一例としての無線ICタグ４が取り付けられている。無線ICタグ４は、電子ペーパ１の表面に代えて、内部に設けられていてもよい。
【００１９】
図２Aは、このコピーシステムで使用されるコピーステーションの正面図であり、図２Bは、同コピーステーションの斜視図である。図３は、このコピーステーションの内部構成を示すブロック図である。
【００２０】
図２Bに示すように、コピーステーション６には、図１に示す電子ペーパ１の接続給端子２と無線ICタグ４とが設けられた片側の縁近くの部分を嵌め入れることができるソケット８が設けられている。このソケット８内には、電子ペーパ１の接続端子２と電気的に接続して、接続端子２に上述した表示制御信号を印加するための接続端子１４（図３参照）が設けられている。ソケット８内には、さらに、電子ペーパ１の無線ICタグ４と無線によりデータを通信するためのアンテナ１６（図３参照）も設けられている。さらに、コピーステーション６内には、ソケット８内の接続端子１４およびアンテナ１６に接続され、ソケット８にセットされた電子ペーパ１に表示制御信号を印加したり、電子ペーパ１上の無線ICタグ４から／へデータを読み書きしたりする制御を行うためのコントローラ１８（図３参照）が収納されている。
【００２１】
図２Aと図２Bに示すように、コピーステーション６の正面パネルには、ソケット８にセットされた電子ペーパ１の無線ICタグ４からデータを読み込むことをユーザがコピーステーション６に要求するためのリードボタン１０と、予め読み込まれたデータを、ソケット８にセットされた電子ペーパ１にコピーすることをユーザがコピーステーション６に要求するためのコピーボタン１２とが配置されている。これらのボタン１０，１２は、コントローラ１８に接続される。
【００２２】
図３に示すように、コントローラは、電子ペーパ１上の無線ICタグ４から／へアンテナ１６を介してデータを読み書きするためのタグリーダライタ２０と、無線ICタグ４から読み出されたデータを格納するためのデータメモリ２２と、データメモリ２２に格納されたデータに従った表示制御信号を生成してそれを接続端子１４を介して電子ペーパ１に印加するためのペーパライタ２４と、リードボタン１０およびライトボタン１２に応答して以下に説明するような動作が行われるよう制御を行うCPU２６とを有する。
【００２３】
次に、この実施形態にかかるコピーシステムによって、或る電子ペーパの情報表示を別の電子ペーパにコピーするための動作を説明する。
【００２４】
図４は、図１に示す電子ペーパ１を図２に示すコピーステーション６にセットして接続した状態を示す。図５は、図５は、コピーステーション６によって行われる、電子ペーパから表示情報のデータを読み込む処理の流れを示す。図６は、コピーステーション６によって行われる、読み取られた表示情報を別の電子ペーパへ書き写す処理の流れを示す。
【００２５】
ユーザは、まず、コピー元の電子ペーパ１を図４に示すようにソケット８にセットして、コピー元の電子ペーパ１とコピーステーション６とを通信可能に接続し、その状態で、リードボタン１０を押す。すると、コピーステーション６のコントローラ１８が、図５に示す制御を行う。すなわち、コピーステーション６では、リードボタン１０に応答したCPU２６が、データ読み取り指示をタグリーダライタ２０に送る。タグリーダライタ２０は、データ読み取り指示に応答して、コピー元の電子ペーパ１上の無線ICタグ４から、そこに格納されているデータ（つまり、コピー元の電子ペーパ１に表示されている情報を表すデータ）をアンテナ１６を介して読み込み（ステップＳ１）、読み込まれたデータをデータメモリ２２に書き込む（ステップＳ２）。
【００２６】
その後、ユーザは、コピー元の電子ペーパ１をソケット８から外し、次に、コピー先の電子ペーパ１をソケット８にセットして、コピー先の電子ペーパ１とコピーステーション６とを通信可能に接続し、その状態で、コピーボタン１２を押す。すると、コピーステーション６のコントローラ１８が図６に示す制御を実行する。すなわち、コピーステーション６では、コピーボタン１２に応答したCPU２６が、データ書き込み指示をタグリーダライタ２０に送り、かつ、データ表示指示をペーパライタ２４に送る。タグリーダライタ２０とペーパライタ２４は、それぞれへの上記指示に応答して、図５のステップS２でデータメモリ２２に格納されたデータを、データメモリ２２から読み込む（Ｓ１１）。タグリーダライタ２０は、データメモリ２２から読み込んだデータを、アンテナ１６を介して、コピー先の電子ペーパ１上の無線ICタグ４に書き込む（Ｓ１２）。また、ペーパライタ２４は、データメモリ２２から読み込んだデータから、そのデータが表す情報のラスタイメージを電子ペーパ１に表示させるための表示制御信号を生成し（Ｓ１３）、その表示制御信号を接続端子１４を介して、コピー先の電子ペーパ１の接続端子２へ出力する。これによって、コピー先の電子ペーパ１では、コピー元の電子ペーパ１に表示されている情報と同じ情報が表示されると共に、その無線ICタグ４にも、その同じ情報のデータが格納される。結果として、コピー元の電子ペーパ１の情報表示がコピー先の電子ペーパ１にコピーされる。コピーが完了した後は、コピー元の電子ペーパ１だけでなくコピー先の電子ペーパ１も、さらに別の電子ペーパ１に同じ情報表示をコピーする場合のコピー元として使用することができる。なお、同じ情報表示を複数枚の電子ペーパ１にコピーする場合には、その枚数分だけ、図６を参照して説明した制御を繰り返せばよい。
【００２７】
なお、変形例として、コピー先の電子ペーパとして、無線ICタグ４が無い電子ペーパを用いてもよい。ただし、そのような電子ペーパは、コピー先としてのみ使用でき、コピー元としては使用できない。
【００２８】
次に、本発明の第２実施形態にかかるコピーシステムについて説明する。
【００２９】
図７Aは、この第２実施形態にかかるコピーシステムで使用されるコピーステーションの正面図であり、図７Bは同コピーステーションの斜視図である。図８は、同コピーステーションの内部構成を示す。
【００３０】
図７に示すように、コピーステーション３０は、コピー元の電子ペーパ１をセットするためのリードソケット３２と、コピー先の電子ペーパ１をセットするためのライトソケット３４と、コピーボタン３６とを有する。使用できる電子ペーパ１の構造は第１実施形態と同様である。図８に示すように、リードソケット３２には、第１実施形態で説明したと同様のアンテナ１６が設けられ、ライトソケット２６には、第１実施形態で説明したと同様の接続端子１４と、アンテナ１６と同構造の別のアンテナ３８とが設けられる。
【００３１】
図８に示すように、コピーステーション３０内のコントローラ４０は、２つのアンテナ１６，３８に接続されたタグリーダライタ４２を有する。タグリーダライタ４２は、CPU４４による制御の下で、リードソケット３２にセットされた電子ペーパ１上の無線ICタグ４からアンテナ１６を介してデータを読み出して、そのデータをデータメモリ２２に格納する動作と、データメモリ２２からデータを読み出して、そのデータをアンテナ３８を介してライトソケット３４にセットされた電子ペーパ１上の無線ICタグ４に書き込む動作とを行う。コントローラ４０内の図３と同じ参照番号を付した要素は、第１実施形態で説明されたと同様の機能を有する。CPU４４は、以下に説明する動作が行われるように制御を行う。
【００３２】
この第２実施形態にかかるコピーシステムで電子ペーパの情報表示のコピーを行う場合、ユーザは、リードソケット３２にコピー元の電子ペーパ１をセットし、ライトソケット３４にコピー先の電子ペーパをセットした上で、コピーボタン３６を押す。すると、コピーステーション３０内のコントローラ４０では、コピーボタン３６に応答してCPU４４が、データ読み取り指示をタグリーダライタ４２に送る。タグリーダライタ４２は、データ読み取り指示に応答して、リード用スロット３２上のコピー元の電子ペーパ１上の無線ICタグ４から、そこに格納されているデータ（つまり、コピー元の電子ペーパ１に表示されている情報を表すデータ）をアンテナ１６を介して読み込み、読み込まれたデータをデータメモリ２２に書き込む。
【００３３】
上記データ読み取り指示を出力した後、CPU４４は自動的に、データ書き込み指示をタグリーダライタ４２に送り、かつ、データ表示指示をペーパライタ２４に送る。タグリーダライタ２０とペーパライタ２４は、それぞれへの上記指示に応答して、先ほどデータメモリ２２に格納されたデータを、データメモリ２２から読み込む。そして、タグリーダライタ４２は、データメモリ２２から読み込んだデータを、アンテナ４８を介して、ライト用スロット３４上のコピー先の電子ペーパ１上の無線ICタグ４に書き込む。また、ペーパライタ２４は、データメモリ２２から読み込んだデータから、そのデータが表す情報のラスタイメージを電子ペーパ１に表示させるための表示制御信号を生成し、その表示制御信号を接続端子１４を介して、ライト用スロット３４上のコピー先の電子ペーパ１の接続端子２へ出力する。
【００３４】
このようにして、一度の操作で、リード用スロット３２上のコピー元の電子ペーパ１からライト用スロット３４上のコピー先の電子ペーパ１へと情報表示がコピーされる。なお、複数枚の電子ペーパ１へ同表示をコピーしたい場合には、ライト用スロット３４上のコピー先の電子ペーパ１を交換して、上述した操作を繰り返せばよい。変形例として、複数のライト用スロット３４をコピーステーション３０に設けてもよく、すすると、複数枚の電子ペーパ１へのコピーが一度の操作で行えるようになる。
【００３５】
次に、本発明の第３実施形態にかかるコピーシステムについて説明する。
【００３６】
この第３実施形態にかかるコピーシステムでも、第１実施形態におけると同様の構造の電子ペーパが使用される。ただし、この第３実施形態にかかるコピーシステムでは、少なくともコピー元の電子ペーパ１に取り付けられた無線ICタグ４は、複数ページ分のデータを格納できる記憶容量をもつ。このコピーシステムで使用されるコピーステーションは、コピー元の電子ペーパ１の無線ICタグ４から、ユーザが任意に選んだページのデータを選択的に読み込んで、これを他の電子ペーパにコピーすることができるようになっている。
【００３７】
図９は、この第３実施形態にかかるコピーシステムで使用されるコピーステーションの内部構図を示す。なお、図９に示されたコピーステーション５０は、図２Aおよび図２Bに示したと同様の外観構造を有し、また、図３に示したと同じ参照番号が付された要素は、図３に示した対応する要素と同様の機能をもつ。
【００３８】
図９に示すように、コピーステーション５０は、ページ進みボタン５４、ページ戻しボタン５６およびページ表示ボタン５８を有する。ユーザがコピー元の電子ペーパ１をソケット8にセットした上で、リードボタン１０を押すと、コントローラ５０が、既に説明したようにして、コピー元の電子ペーパ１の無線ICタグ４から或るページのデータを読み込み、データメモリ２２に格納する。その後、ユーザがページ表示ボタン５８を押すと、コントローラ５０では、既に説明したコピーボタン１２が押された時の制御のうちの電子ペーパ１へ表示制御信号を与える制御と同様の制御だけが行われて（よって、無線ICタグ４にデータを書き込む制御は行われない）、コピー元の電子ペーパ１に、読み込まれたページの情報が表示される。
【００３９】
その後、ユーザがページ進みボタン５４またはページ戻しボタン５６を押すと、コントローラ５０は、先ほど読み込んだページより１ページ分だけ先または後のページのデータを、コピー元の電子ペーパ１の無線ICタグ４から読み込んで、データメモリ２２に格納する。そして、ユーザがページ表示ボタン５８を再び押すと、コントローラ５０では、データメモリ２２に格納された上記１ページ分だけ先または後のページのデータについて、上記と同様の制御が行われて、コピー元の電子ペーパ１に、上記１ページ分だけ先または後のページの情報が表示される。このようにして、ユーザは、コピー元の電子ペーパ１の無線ICタグ４に格納されている複数ページのデータを、順次に選択して、そのページの情報をコピー元の電子ペーパ１上に表示させて確認しながら、コピーしたいページを選択することができる。
【００４０】
コピーしたいページが決まった後、ユーザが、コピー先の電子ペーパ１をスロット8にセットして上で、コピーボタン１２を押せば、コントローラ50では、既に説明したとおりの制御が行われて、選択されたページのデータがコピー先の電子ペーパ１の無線ICタグ４に書き込まれ、かつ、選択されたページの情報がコピー先の電子ペーパ１に表示される。
【００４１】
変形例として、リードボタン１０に応答して、コピー元の電子ペーパ１の無線ICタグ４に格納されている全データをデータメモリ２２に読み込み、その後に、コピー先の電子ペーパ１をスロット８にセットされた状態で、ページ進みボタン５４またはページ戻しボタン５６に応答して、データメモリ２２から任意のページのデータを読み出してコピー先の電子ペーパ１に表示させることで、どのページをコピーするかをユーザに選択させるようにしてもよい。この場合、データメモリ２２には、１つの無線ICタグ４の記憶容量以上の記憶要領をもったメモリが使用される。
【００４２】
以上、本発明の実施形態を説明したが、この実施形態は本発明の説明のための例示にすぎず、本発明の範囲をこの実施形態にのみ限定する趣旨ではない。本発明は、その要旨を逸脱することなく、その他の様々な態様でも実施することができる。例えば、電子ペーパには、無線ICタグに代えてまたは併用して、別の種類の書き換え可能不揮発性メモリデバイスが搭載されていてもよい。
【図面の簡単な説明】
【００４３】
【図１】本発明の第１実施形態にかかるコピーシステムに適用される電子ペーパの平面図。
【図２】第１実施形態にかかるコピーシステムのコピーステーションの正面図（図２A）と斜視図（図２B）。
【図３】図２に示されるコピーステーションの内部構成を示すブロック図。
【図４】図１に示される電子ペーパを図２に示されるコピーステーションにセットした状態を示す正面図。
【図５】図２に示されるコピーステーションによって行われる、電子ペーパからデータを読み込む処理の流れを示すフローチャート。
【図６】図２に示されるコピーステーションによって行われる、電子ペーパへデータをコピーする処理の流れを示すフローチャート。
【図７】本発明の第２実施形態にかかるコピーシステムで使用されるコピーステーションの正面図（図７Ａ）と斜視図。
【図８】図７に示されるコピーステーションの内部構成を示すブロック図。
【図９】本発明の第３実施形態にかかるコピーシステムで使用されるコピーステーションの内部構成を示すブロック図。
【符号の説明】
【００４４】
１…電子ペーパ、  ２…接続端子、  ４…無線ICタグ、  ６、３０、５０…コピーステーション、  ８…ソケット、  １０…リードボタン、  １２、３６…コピーボタン、  １４…接続端子、  １６、３８…アンテナ、  １８、４０、５２…コントローラ、  ２０、４２…タグリーダライタ、  ２２…データメモリ、  ２４…ペーパライタ、  ３２…リードソケット、  ３４…ライトソケット、  ５４…ページ進みボタン、  ５６…ページ戻しボタン、  ページ表示ボタン
【図１】
2007199269.tif 000003
【図２】
2007199269.tif 000004
【図３】
2007199269.tif 000005
【図４】
2007199269.tif 000006
【図５】
2007199269.tif 000007
【図６】
2007199269.tif 000008
【図７】
2007199269.tif 000009
【図８】
2007199269.tif 000010
【図９】
2007199269.tif 000011